(57)【要約】  エレキギター（１）のネック（３）は木質素材からなる第１ネック部材（３１）と金属素材からなる第２ネック部材（３３）から構成されている。第２ネック部材（３３）は、弦（１０）が張られているネック（３）のナット（５）からボディ（３）のブリッジ（８）の間に亘る状態に配置され、第１ネック部材（３１）およびボディ（３）のそれぞれに対して、複数の箇所で部分的に固定されている。弦（１０）は第２ネック部材（３３）の両端の間に張られた状態になり、第１ネック部材（３１）を介して弦振動が効率良くピックアップの側に伝えられるので、良好な音質状態を維持できる。また、第２ネック部材（３３）によってボディ（３）から突出しているネック本体部分（３Ａ）が補強されるので、ネック本体部分（３Ａ）に反り等の変形が生ずることも防止できる。
2013140466.tif 000002
【特許請求の範囲】
【請求項１】
ボディ（２）と、ネック（３）と、前記ネック（３）の先端部に取り付けたナット（５）から前記ボディ（２）の表面に取り付けたブリッジ（８）までの間に引張り状態で架け渡される複数本の弦（１０）とを備えたエレキギター（１）あるいはエレキベースの弦張力支持構造であって、
前記ネック（３）は、前記ボディ（２）に固定されている木質素材からなる第１ネック部材（３１）と、前記第１ネック部材（３１）の表面に取り付けた指板（３２）と、前記第１ネック部材（３１）および前記ボディ（２）の双方に対してそれぞれ複数の箇所で部分的に固定されている金属素材からなる第２ネック部材（３３）とを備えており、
前記第２ネック部材（３３）は、前記第１ネック部材（３１）の内部に配置されている先端側部分（３３Ａ）と、前記ボディ（２）の内部に配置されている後端側部分（３３Ｂ）とを備えており、
前記先端側部分（３３Ａ）の先端（３３ａ）は、ネック長さ方向（Ｙ）において、前記ネック（３）の先端部において前記弦（１０）を支持しているナット（５）の配置位置まで延びており、
前記後端側部分（３３Ｂ）の後端（３３ｂ）は、前記ネック長さ方向（Ｙ）において、少なくとも、前記弦（１０）の前記ボディ（２）への固定位置（９）まで延びていることを特徴とする弦張力支持構造。
【請求項２】
請求項１において、
前記第２ネック部材（３３）における前記第１ネック部材（３１）および前記ボディ（２）のそれぞれに対する複数の固定箇所は、前記ネック長さ方向（Ｙ）において、異なるピッチで配置されていることを特徴とする弦張力支持構造。
【請求項３】
請求項１または２において、
前記第２ネック部材（３３）の前記先端側部分（３３Ａ）は、前記ネック長さ方向（Ｙ）に延びる複数本の縦リブ（４１、４３）と、前記ネック長さ方向（Ｙ）に直交するネック幅方向（Ｘ）に延びる複数本の横リブ（４７）と、前記縦リブ（４１、４３）および前記横リブ（４７）とは異なる方向に延びる複数本の斜めリブ（４８）を備えた平板状の枠材であり、
前記縦リブ（４１、４３）、前記横リブ（４７）および前記斜めリブ（４８）は、前記ネック幅方向（Ｘ）において左右対称に配置されており、
前記縦リブ（４１、４３）、前記横リブ（４７）および前記斜めリブ（４８）で取り囲まれている各開口部（４５）は、前記ネック長さ方向（Ｙ）において相互に異なる形状となっていることを特徴とする弦張力支持構造。
【請求項４】
請求項３において、
前記第１ネック部材（３１）の表面には、前記第２ネック部材（３３）が装着されている装着溝（３６）が形成されており、
前記装着溝（３６）の底面からは前記開口部（４５）のそれぞれに対応する輪郭形状の突出部（３６ａ）が突出しており、
前記突出部（３６ａ）のそれぞれの先端面は前記開口部（４５）のそれぞれから露出しており、
前記指板（３２）は前記突出部（３６ａ）のそれぞれの先端面に貼り付けられていることを特徴とする弦張力支持構造。
【請求項５】
請求項１ないし４のうちのいずれかの項において、
前記ネック（３）における前記ボディ（２）から突出しているネック本体部分（３Ａ）に生ずる変形を抑制あるいは矯正するために、当該ネック本体部分（３Ａ）の内部に配置した棒状のネック補強部材（３４）を備えており、
前記ネック補強部材（３４）は、前記第２ネック部材（３３）の前記先端側部分（３３Ａ）における前記ネック長さ方向（Ｙ）の先端部および後端部の間に、引張り状態で架け渡されていることを特徴とする弦張力支持構造。
【請求項６】
請求項５において、
前記第２ネック部材（３３）の前記先端側部分（３３Ａ）は、当該先端側部分（３３Ａ）における前記ネック幅方向（Ｘ）の中心位置を前記ネック長さ方向（Ｙ）に延びる溝（４４）を備えており、
前記溝（４４）内に前記ネック補強部材（３４）が装着されていることを特徴とする弦張力支持構造。
【発明の詳細な説明】
【技術分野】
【０００１】
本発明は、エレキギターおよびエレキベースにおいて、弦振動を効率良く伝達して音質を良好な状態に維持でき、しかも、ネックの反り等の変形を防止あるいは抑制可能な弦張力支持構造（ストリングテンションブリッジ）に関する。
【背景技術】
【０００２】
エレキギター、エレキベースは、一般に、木質素材からなるボディに木質素材からなる細長いネックが固定され、ボディ表面に固定したブリッジと、ネックの先端に固定したナットの間に複数本の弦が張られた構成となっている。弦の張力、環境温度・湿度の変化等に起因して、ネックに、指板側が凹になる「順反り」と呼ばれる反り、指板側が凸となる「逆反り」と呼ばれる反り、ねじれ等の変形が生ずることがある。ネックの反り等の変形を防止するために、従来においては、ネックにネック補強部材を取り付けてネックの剛性を高めるようにしている。【０００３】
特許文献１（実開平０７−３４４８３号公報）に開示の矯正装置では、アジャスティングロッドと呼ばれる補強部材をネックに装着し、アジャスティングロッドの張力を調整することでネックの反りを防止あるいは矯正している。【０００４】
特許文献２（実開昭６３−１９１３８７号公報）に開示のネック反り防止構造では、細長い板状の金属補強部材をネックに装着することでネックの反りを防止している。特許文献３（特開２００１−１３９５７号公報）に開示のネックの補強装置では、板金製の補強部材をネック内に埋め込むことによりネックの剛性、強度を高めてネックの反りなどの変形を防止している。【０００５】
特許文献４（特開平０２−７３２９５号公報）に開示の弦楽器では、補強用の鋳造構造部材を樹脂成形品であるネックおよびボディに埋設することで、ネックおよびボディの剛性、強度を高めると共に、鋳造構造部材にフレッドを一体成形することで、フレッドの取り付け作業の簡素化を図っている。
【先行技術文献】
【特許文献】
【０００６】
【特許文献１】実開平０７−３４４８３号公報
【特許文献２】実開昭６３−１９１３８７号公報
【特許文献３】特開２００１−１３９５７号公報
【特許文献４】特開平０２−７３２９５号公報
【発明の概要】
【発明が解決しようとする課題】
【０００７】
従来のネック構造では、ネックに金属板等の補強部材を組み込むことでネックの強度、剛性を高めている。しかし、弦振動を効率良くボディ側のマイク（ピックアップ）に伝えることを目的とするネック構造の改良については何ら着目されておらず、当該目的を達成するためのネック構造については提案されていない。【０００８】
例えば、特許文献２、３に開示のネック補強構造では、ネックの剛性を高めたために、弦を弾いたときにネックに必要とされる撓り（しなり）が無くなり、弦振動による音質が金属音質となってしまい、良好な音質の弦振動を効率良くボディに取り付けたマイクに伝えることができない。このため、ネックに金属板を埋設してネックを高剛性にして反り等の変形を防止するネック補強構造は、現在に至っても殆ど実用化されていない。【０００９】
また、特許文献４に開示されているように、ネックおよびボディを樹脂成形品として成形し、鋳造構造部材をネックおよびボディの全体に亘る状態に埋設して一体化した構造の場合には、弦楽器全体が極めて高剛性になる。しかし、この構成を木質系素材からなるネックおよびボディを備えたエレキギターに適用した場合には、弦振動に伴うネックの撓り（しなり）が阻害され、弦振動が効率良く伝達されず、良好な音質のエレキギターを得ることができない。【００１０】
本発明の課題は、このような点に鑑みて、音質が金属音質とならないように、弦振動をネックを介して効率良く伝達でき、しかも、ネックを適正な順反り状態に維持してプレイアビリティを向上させることの可能なエレキギターおよびエレキベースの弦張力支持構造（ストリングテンションブリッジ）を提案することにある。
【課題を解決するための手段】
【００１１】
上記の課題を解決するために、本発明は、ボディと、ネックと、前記ネックの先端部に取り付けたナットから前記ボディの表面に取り付けたブリッジまでの間に引張り状態で架け渡した複数本の弦とを備えたエレキギターあるいはエレキベースにおける弦張力支持構造であって、
前記ネックは、前記ボディに固定されている木質素材からなる第１ネック部材と、前記第１ネック部材の表面に取り付けた指板と、前記第１ネック部材および前記ボディの双方に対してそれぞれ複数の箇所で部分的に固定されている金属素材からなる第２ネック部材とを備え、
前記第２ネック部材は、前記第１ネック部材の内部に配置されている先端側部分と、前記ボディの内部に配置されている後端側部分とを備え、
前記先端側部分の先端は、ネック長さ方向において、前記ネックの先端部の前記ナットの配置位置まで延び、
前記後端側部分の後端は、前記ネック長さ方向において、少なくとも、前記弦の前記ボディへの固定位置まで延びていることを特徴としている。【００１２】
本発明のエレキギターあるいはエレキベースにおいては、弦が引張状態で架け渡されているネック先端部のナット位置からボディ側の固定位置までの間に、金属素材からなる第２ネック部材が配置されている。すなわち、振動時の弦の両側の節を包含する範囲に亘って、金属素材からなる第２ネック部材が配置されている。したがって、弦の張力が第２ネック部材によって負担され、ネック本体部分に、反り等の変形が発生することが抑制される。【００１３】
また、金属素材からなる第２ネック部材は、第１ネック部材およびボディの双方に対して複数の箇所で部分的に固定されているだけなので、弦振動を伝達するために必要な第１ネック部材およびボディの撓り（しなり）も確保されている。よって、弦振動が木質素材からなる第１ネック部材およびボディを介してピックアップの側に効率良く伝達される。また、音質が金属音質に変わってしまうことがなく、良好な音質状態が維持される。さらに、金属素材からなる第２ネック部材はナット位置からボディ側の固定位置まで延びているので、第２ネック部材を介しても弦振動が効率良く伝達される。【００１４】
このように、ネックの構成要素である第２ネック部材は弦振動を伝達する伝達部材としても機能するので、弦振動に伴って第２ネック部材に共振が発生するおそれがある。第２ネック部材の共振を回避するためには、第２ネック部材を第１ネック部材およびボディのそれぞれに対して固定している複数の固定位置を、ネック長さ方向において、異なるピッチで配置しておくことが有効である。【００１５】
また、第２ネック部材を、ネック長さ方向に延びる複数本の縦リブと、ネック長さ方向に直交するネック幅方向に延びる複数本の横リブと、縦リブおよび横リブとは異なる方向に延びる複数本の斜めリブを備えた平板状の枠材とすることができる。この場合には、ネックに捩れなどの変形が生じないように、縦リブ、横リブおよび斜めリブを、ネック幅方向において左右対称に配置することが望ましい。また、弦振動に伴って第２ネック部材が共振しないように、縦リブ、横リブおよび斜めリブで取り囲まれている各開口部を、ネック長さ方向において、相互に異なる形状となるようにすることが有効である。【００１６】
次に、良好な音質を維持するためには、弦振動に伴ってネックに所定の撓り（しなり）が発生する必要があり、第１ネック部材および第２ネック部材からなるネックの剛性を、ネックに反り等の変形が発生しない程度まで高めることが出来ない場合がある。このような場合においては、ネックにおけるボディから突出しているネック本体部分に生ずる変形を抑制あるいは矯正するために、当該ネック本体部分の内部に、棒状のネック補強部材を配置しておくことが望ましい。ネック補強部材を、ネック本体部分におけるネック長さ方向の先端部および後端部の間に、引張り状態で架け渡しておけば、ネック補強部材の張力によってネック本体部分が全体として均一に曲がり、ネックを適正な順反り状態に維持できる。【００１７】
また、ネック補強部材を配置する場合には、第２ネック部材の先端側部分に、当該先端側部分におけるネック幅方向の中心位置をネック長さ方向に延びる溝を形成し、ここに、ネック補強部材を装着し、第２ネック部材の先端側部分における先端部および後端部の間に引張り状態でネック補強部材を架け渡しておけばよい。
【図面の簡単な説明】
【００１８】
【図１】（ａ）は本発明を適用したエレキギターの一例を示す概略平面図であり、（ｂ）はその変形例を示す概略平面図である。
【図２】（ａ）は図１のエレキギターの概略側面図であり、（ｂ）はネックとボディのジョイント部の例を示す模式図であり、（ｃ）はネックとボディのジョイント部の別の例を示す模式図である。
【図３】図１のエレキギターにおける主要部分の分解斜視図である。
【図４】（ａ）はネック構成部品である第２ネック部材およびアジャスティングロッドを示す裏面図であり、（ｂ）はその平面図であり、（ｃ）は（ａ）のｃ−ｃ線で切断した部分の断面図であり、（ｄ）は（ａ）のｄ−ｄ線で切断した部分の断面図である。
【発明を実施するための形態】
【００１９】
以下に、図面を参照して、本発明の実施の形態を説明する。以下の説明は本発明をエレキギターに適用した場合のものであるが、本発明をエレキベースに対しても同様に適用可能なことは勿論である。図１（ａ）および図２（ａ）に示すように、本発明の実施の形態に係るエレキギター１は例えばレスポールタイプのものであり、木質素材からなるボディ２と、複合部材から構成されているネック３と、ネック３の先端から裏側に折れ曲がって延びているヘッド４とが備わっている。また、本例のネック３はスルーネックであり、ネック３の後端側部分はボディ２のテールピース取付位置の後側の位置まで延びている。
【００２０】
ネック３の表面の先端には弦振動をネック３に伝えるためのナット５が取り付けられており、ボディ２の表面２ａには、ネック長さ方向Ｙに沿って、ネック３の側からピックアップ６、ピックアップ７、ブリッジ８およびテールピース９がそれぞれ取り付けられている。ナット５とブリッジ８の間には一般的に６本の弦１０が引張状態で架け渡されている（７本以上の弦１０が配置される場合もある。）。弦１０の各先端部分は、ヘッド４に取り付けられている各ペグ１１に巻き付けられており、弦１０の各後端部分は、テールピース９の側に掛止されている。
【００２１】
図３はエレキギター１のネック３の構造を中心に示す主要部品の分解斜視図である。図３も参照して説明すると、ネック３は、ボディ２に対して、ネック長さ方向Ｙに延びる状態に固定されている木質素材からなる細長い直線状の第１ネック部材３１と、この第１ネック部材３１におけるボディ２から突出している部分の表面に貼り付けた指板３２と、第１ネック部材３１およびボディ２の双方に対してそれぞれ複数の箇所で固定されている金属素材からなる平板状の枠体からなる第２ネック部材３３と、この第２ネック部材３３に取り付けたネック補強用の金属素材からなるアジャスティングロッド３４とを備えている。第１ネック部材３１の先端にはヘッド４が一体形成されており、指板３２の表面には所定の間隔で複数本のフレッド３５が取り付けられている。
【００２２】
第２ネック部材３３は、第１ネック部材３１におけるボディ２から突出している部分の内部に配置されている先端側部分３３Ａと、ボディ２の内部（第１ネック部材３１のボディ２の側の部分の内部）に配置されている後端側部分３３Ｂとを備えている。先端側部分３３Ａの先端３３ａは、ネック長さ方向Ｙにおいて、ナット５の配置位置まで延びている。後端側部分３３Ｂの後端３３ｂは、ネック長さ方向Ｙにおいて、テールピース９の配置位置（弦１０のボディ２への固定位置）まで延びている。
【００２３】
なお、図２（ｂ）に模式的に示すように、ネック３をネジでボディ２に止めるデタッチャブル・ジョイン方式のものにすることもできる。この場合には、第１ネック部材３１はボディ２に対して、ボディ厚さ方向にねじ込まれた複数本の木ネジ６０によって連結固定される。また、ネック３を接着剤でボディ２に止めるセット・ネック・ジョイン方式のものとすることもできる。
【００２４】
さらに、デタッチャブル・ジョイント方式として、ボルトオン構造を採用することができる。この場合には、図２（ｃ）に示すように、第２ネック部材３３を、先端側部分３３Ａと後端側部分３３Ｂとの２部材から形成し、第１ネック部材３１の内部に配置されている先端側部分３３Ａの後端部と、ボディ２に内部に配置されている後端側部分３３Ｂの先端部との間を、ボディ厚さ方向に締め付けた複数本のボルト６１で連結固定する。ボルトによって、第１ネック部材３１もボディ２に締結固定された状態になり、これらの間の締結強度を非常に高めることができる。また、この場合には、図１（ｂ）に示すように、ボディ側の後端側部分３３Ｂを、先端側部分３３Ａよりも広く、ブリッジ８、テールピース９を包含する広い幅のものとすることが望ましい。このようにすれば、ブリッジ８、テールピース９を、後端側部分３３Ｂに固定することも可能である。
【００２５】
次に、図４（ａ）はネック構成部品である第２ネック部材３３およびアジャスティングロッド３４を示す裏面図であり、図４（ｂ）はその表面図であり、図４（ｃ）は図４（ａ）のｃ−ｃ線で切断した部分の断面図であり、図４（ｄ）は図４（ａ）のｄ−ｄ線で切断した部分の断面図である。
【００２６】
図４を主に参照して説明すると、第２ネック部材３３は一定厚さ、例えば１０ｍｍ厚の細長いアルミニウム棒材に削り加工を施して板状の枠体にしたものであり、ネック幅方向Ｘの中心に対して左右対称な形状をしている。第２ネック部材３３の先端側部分３３Ａは、全体として、その後端側の部分から先端に向かって幅が漸減する輪郭形状をしている。後端側部分３３Ｂは、全体として、幅が略一定の輪郭形状をしている。第２ネック部材３３は、ネック３をネック部材のネック長さ方向Ｙに縮めようとする力を受ける。
【００２７】
第２ネック部材３３は厚さ３ｍｍ程度の厚さの板状部分の外周縁に、一定幅の外周リブ４１が形成されており、この外周リブ４１は先細りの台形状断面をしており、第２ネック部材３３の裏面４２ｂから表面４２ａの側に直角に突出している。また、先端側部分３３Ａには、そのネック幅方向Ｘの中央部分において、ネック長さ方向Ｙに直線状に延び、裏面４２ａの側に突出している略矩形断面の中央縦リブ４３が形成されている。中央縦リブ４３は先端側部分３３Ａの先端３３ａの近傍位置から当該先端部分３３Ａの後端３３ｃの近傍位置まで延びている。中央縦リブ４３によって、ネック長さ方向Ｙに直線状に延び、表面４２ａの側に開口している矩形断面のロッド装着溝４４が形成されている。
【００２８】
ここで、中央縦リブ４３の高さ（ネック厚さ方向Ｚの高さ）は例えば１０ｍｍであり、外周リブ４１の高さは中央縦リブ４３とは異なり、例えば５ｍｍと低い。このようにすることで、各フレッドポジションでの共鳴防止と高音域および低音域の分離を図っている。共鳴とは、木質素材の第１ネック部材３１と金属素材の第２ネック部材３３の振動が重なり合い、特定の音域の振動が増幅されてしまうことであり、共鳴発生は楽器にとって致命傷となるので、確実に防止しなければならない。
【００２９】
次に、先端側部分３３Ａには、中央縦リブ４３と、外周リブ４１におけるネック長さ方向に延びる外周縦リブ部分４１ａ、４１ｂとの間に、多数の開口部４５および固定用の円形のネジ穴４６が形成されている。各開口部４５および各ネジ穴４６は、ネック幅方向Ｘにおいて左右対称の状態に形成されている。詳しく説明すると、各開口部４５は、中央縦リブ４３と左右の外周縦リブ部分４１ａ、４１ｂの間においてネック幅方向Ｘに延びる複数の平板状の横リブ４７と、ネック長さ方向Ｙおよびネック幅方向Ｘの双方に対して傾斜した傾斜方向に延びる複数の平板状の斜めリブ４８との間に形成されている。これらの横リブ４７および斜めリブ４８によってネック３の捩れが防止あるいは抑制される。
【００３０】
横リブ４７は、ネック長さ方向Ｙにおいて、先端側部分３３Ａの後端３３ｃから先端３３ａに向かって、間隔が徐々に狭くなるように形成されている。したがって、ネック長さ方向Ｙにおいて、各横リブ４７の間に配置されている斜めリブ４８の間隔も先端３３ａに向かって間隔が徐々に狭くなっている。これにより、各開口部４５は、ネック長さ方向Ｙにおいて大きさが相互に相違している。また、各横リブ４７と後端３３ｃの近傍位置には、それぞれ、左右対称な位置に一対のネジ穴４６がそれぞれ形成されている。これらのネジ穴４６（固定位置）のネック長さ方向Ｙにおけるピッチも相互に相違している。これにより、開放弦を引いたときに共鳴を防止している。
【００３１】
これに対して、後端側部分３３Ｂにおいては、一定幅の開口部４９が全体に亘って形成されている。また、開口部４９の前側の部位および後端部分にそれぞれ一対のネジ穴５０ａ、５０ｂ（固定位置）が、左右対称な位置に形成されている。なお、図２（ｃ）に示したボルトオン構造の場合には、先端側部分３３Ａの最も後端に位置する左右一対のネジ穴４６ａと、後端側部分３３Ｂの先端側の左右一対のネジ穴５０ａの４か所で、相互にボルト締めされて、ネック３とボディ２が連結固定される。
【００３２】
一方、図３から分かるように、第１ネック部材３１の表面には、上記形状の第２ネック部材３３を装着するための装着溝３６が形成されている。装着溝３６は第１ネック部材３１と相補的な形状および深さの溝である。また、装着溝３６の底面からは、第２ネック部材３３の各開口部４５および開口部４９に対応した輪郭形状の突部３６ａ、３６ｃが形成されている。装着溝３６に装着した状態において、第２ネック部材３３は第１ネック部材３１と面一の状態になり、各突部３６ａ、３６ｃは対応する開口部４５、４９を貫通して、表面４２ａの側に露出した状態になる。装着溝３６に装着された第２ネック部材３３は、各ネジ穴４６、４６ａ、５０ａ、５０ｂに通した固定用のネジ（図示せず）を第１ネック部材３１およびボディ２にねじ込み固定することで、これらに固定される。指板３２は、これらを覆い隠す状態で、第１ネック部材３１の装着溝３６の両側の縁部分の表面３６ｂおよび各突部３６ａの表面に貼り付けられる。このように、指板３２と木質系の第１ネック部材３１とが直接に接した状態で貼り合わされているので、指板３２と第２ネック部材３１が確実に一体化され、これらを介して弦振動が効率良く伝達される。
【００３３】
次に、図３および図４を参照して、ネック３におけるボディ２から突出しているネック本体部分３Ａに生ずる変形を抑制あるいは矯正するためのアジャスティングロッド３４の装着部分の構造を説明する。
【００３４】
先に述べたように、第２ネック部材３３にはロッド装着溝４４が形成されており、ここに、アジャスティングロッド３４が装着される。アジャスティングロッド３４におけるネック長さ方向Ｙの一方の端部、本例では、後側の端部３４ｂには、矩形輪郭の掛止板５１が固定されている。ロッド装着溝４４の後側の端には広幅の掛止溝４４ｂが形成されており、ここに掛止板５１を装着することで、アジャスティングロッド３４の後端が第２ネック部材３３に対してネック長さ方向Ｙの後側から掛止される。
【００３５】
また、アジャスティングロッド３４の先端側の端部３４ａには雄ネジが刻まれており、ここに、矩形輪郭の掛止板５２を挟み、ナット５３がねじ込み固定可能となっている。ロッド装着溝４４の前側の端には、広幅の掛止溝４４ａが形成されており、ここに掛止板５２が装着される。また、ネック３のヘッド４の部位には、ナット５３の装着部（図示せず）が形成されている。
【００３６】
ナット５３をねじ込むと、アジャスティングロッド３４がネック長さ方向Ｙに引張られて、これによって生じた張力が第２ネック部材３３における先端側部分３３Ａの先端３３ａおよび後端３３ｃの間に作用する。この張力によって、第２ネック部材３３の全体がネック長さ方向Ｙにおいて均一に指板３２の側に撓る。この結果、１２フレッド目の位置において、必要とされる適正な弦高さ（フレッド面からの浮き上がりが０．１５ｍｍ）が得られる。これにより、ネック３におけるボディ２から突出しているネック本体部分３Ａの順反り等の変形を防止あるいは抑制でき、ネック長さ方向Ｙの各フレッド位置において適正な弦高さが得られるようにするための調整を簡単に行うことができる。
【００３７】
このように構成した本実施の形態に係るエレキギター１においては、そのネック３が木質系素材からなる第１ネック部材３１と金属素材からなる第２ネック部材３３から構成されている。また、第２ネック部材３３は、張られている弦１０の両端の節の間に亘って配置されている。したがって、両端の節の間に位置している木質素材からなる第１ネック部材３１およびボディ２を介して弦振動が効率良く伝達されてピックアップ６、７に伝わる。よって、ネック３を補強するための金属製の第２ネック部材３３を配置したことでネック剛性が高くなり、ネック３の撓り性能が若干低下したとしても、弦振動を確実に伝達することができ、ネック３を高剛性化したことに起因する音質低下を防止あるいは抑制できる。
【００３８】
また、第２ネック部材３３の強度、剛性、第１ネック部材３１およびボディ２に対する固定力を適切に設定することにより、弦振動を効率良くピックアップ６、７に伝達することができ、音質を改善することができる。これに加えて、第２ネック部材３３を第１ネック部材３１およびボディ２に固定するための固定位置（ネジ穴４６、５０ａの位置）をネック長さ方向Ｙにおいてピッチが異なるようにしている。第２ネック部材３３の固定位置は振動時の節として機能するので、このように固定位置のピッチをネック長さ方向Ｙにおいて相互に異なるように設定することで、弦振動に対して第２ネック部材３３が共振を起こしてしまうことを確実に防止できる。
【００３９】
さらに、第２ネック部材３３にはネック長さ方向Ｙにおいて相互に異なる輪郭形状の開口部４５が形成されている。これによっても、弦振動に対して第２ネック部材３３が共振を起こしてしまうことを確実に防止できる。
【００４０】
さらには、ネック３に取り付けた第２ネック部材３３によってネック３の強度、剛性が高まるので、ネック３の反り、ねじれ等の変形を防止あるいは抑制できる。アジャスティングロッド３４等のネック補強部材を用いてボディ２から突出しているネック本体部分３Ａに張力を与えることにより、弦１０の張力等に起因してネック本体部分３Ａが裏面側に凹状に反ってしまう順反り、表面側に凹状に反ってしまう逆反りの双方を確実に防止できる。
【００４１】
このように、金属製補強部材である第２ネック部材３３によってネック３の反り等の変形が発生することを防止でき、また、ネック３の反りを正しい位置（演奏上影響がでない、弦の張力により均一に順反りする位置）に矯正することができる。これによって、木質材料の弱点を補うとともに、弦振動による木質材料の鳴りをボディ２に効率良く伝達することができる。また、第２ネック部材３３をリブ状にすることで、従来のネック反り防止構造よりも軽量化することができる。この結果、プレイアビリティの向上したエレキギター、エレキベースを実現することができる。
【００４２】
なお、本実施の形態では、図３に示すように、アジャスティングロッド３４の装着溝４４がネック表面側を向く状態で、第２ネック部材３３を配置してある。この代わりに、第２ネック部材３３を裏返した状態（装着溝４４がネック裏面側を向く状態）に配置することもできる。
【００４３】
また、本実施の形態は、本発明をレスポールタイプのエレキギターに適用したものであるが、これ以外のタイプのエレキギターに対しても本発明を同様に適用可能なことは勿論である。
【図１】
2013140466.tif 000003
【図２】
2013140466.tif 000004
【図３】
2013140466.tif 000005
【図４】
2013140466.tif 000006
【手続補正書】
【提出日】平成24年9月12日(2012.9.12)
【手続補正１】
【補正対象書類名】特許請求の範囲
【補正対象項目名】全文
【補正方法】変更
【補正の内容】
【特許請求の範囲】
【請求項１】
ボディ（２）と、ネック（３）と、前記ネック（３）の先端部に取り付けたナット（５）から前記ボディ（２）の表面に取り付けたブリッジ（８）までの間に引張り状態で架け渡される複数本の弦（１０）とを備えたエレキギター（１）あるいはエレキベースの弦張力支持構造であって、
前記ネック（３）は、前記ボディ（２）に固定されている木質素材からなる第１ネック部材（３１）と、前記第１ネック部材（３１）の表面に取り付けた指板（３２）と、前記第１ネック部材（３１）および前記ボディ（２）の双方に対してそれぞれ複数の箇所で部分的に固定されている金属素材からなる第２ネック部材（３３）とを備えており、
前記第２ネック部材（３３）は、前記第１ネック部材（３１）の内部に配置されている先端側部分（３３Ａ）と、前記ボディ（２）の内部に配置されている後端側部分（３３Ｂ）とを備えており、
前記先端側部分（３３Ａ）の先端（３３ａ）は、ネック長さ方向（Ｙ）において、前記ネック（３）の先端部において前記弦（１０）を支持しているナット（５）の配置位置まで延びており、
前記後端側部分（３３Ｂ）の後端（３３ｂ）は、前記ネック長さ方向（Ｙ）において、少なくとも、前記弦（１０）の前記ボディ（２）への固定位置（９）まで延びており、
前記第２ネック部材（３３）の前記先端側部分（３３Ａ）は、前記ネック長さ方向（Ｙ）に延びる複数本の縦リブ（４１、４３）と、前記ネック長さ方向（Ｙ）に直交するネック幅方向（Ｘ）に延びる複数本の横リブ（４７）と、前記縦リブ（４１、４３）および前記横リブ（４７）とは異なる方向に延びる複数本の斜めリブ（４８）を備えた平板状の枠材であり、
前記縦リブ（４１、４３）、前記横リブ（４７）および前記斜めリブ（４８）は、前記ネック幅方向（Ｘ）において左右対称に配置されており、
前記縦リブ（４１、４３）、前記横リブ（４７）および前記斜めリブ（４８）で取り囲まれている各開口部（４５）は、前記ネック長さ方向（Ｙ）において相互に異なる形状となっていることを特徴とする弦張力支持構造。
【請求項２】
請求項１において、
前記第２ネック部材（３３）における前記第１ネック部材（３１）および前記ボディ（２）のそれぞれに対する複数の固定箇所は、前記ネック長さ方向（Ｙ）において、異なるピッチで配置されていることを特徴とする弦張力支持構造。
【請求項３】
請求項１または２において、
前記第１ネック部材（３１）の表面には、前記第２ネック部材（３３）が装着されている装着溝（３６）が形成されており、
前記装着溝（３６）の底面からは前記開口部（４５）のそれぞれに対応する輪郭形状の突出部（３６ａ）が突出しており、
前記突出部（３６ａ）のそれぞれの先端面は前記開口部（４５）のそれぞれから露出しており、
前記指板（３２）は前記突出部（３６ａ）のそれぞれの先端面に貼り付けられていることを特徴とする弦張力支持構造。
【請求項４】
請求項１ないし３のうちのいずれかの項において、
前記ネック（３）における前記ボディ（２）から突出しているネック本体部分（３Ａ）に生ずる変形を抑制あるいは矯正するために、当該ネック本体部分（３Ａ）の内部に配置した棒状のネック補強部材（３４）を備えており、
前記ネック補強部材（３４）は、前記第２ネック部材（３３）の前記先端側部分（３３Ａ）における前記ネック長さ方向（Ｙ）の先端部および後端部の間に、引張り状態で架け渡されていることを特徴とする弦張力支持構造。
【請求項５】
請求項４において、
前記第２ネック部材（３３）の前記先端側部分（３３Ａ）は、当該先端側部分（３３Ａ）における前記ネック幅方向（Ｘ）の中心位置を前記ネック長さ方向（Ｙ）に延びる溝（４４）を備えており、
前記溝（４４）内に前記ネック補強部材（３４）が装着されていることを特徴とする弦張力支持構造。
【手続補正２】
【補正対象書類名】明細書
【補正対象項目名】００２７
【補正方法】変更
【補正の内容】
【００２７】
第２ネック部材３３は厚さ３ｍｍ程度の厚さの板状部分の外周縁に、一定幅の外周リブ４１が形成されており、この外周リブ４１は先細りの台形状断面をしており、第２ネック部材３３の裏面４２ｂから表面４２ａの側に直角に突出している。また、先端側部分３３Ａには、そのネック幅方向Ｘの中央部分において、ネック長さ方向Ｙに直線状に延び、表面４２ａの側に突出している略矩形断面の中央縦リブ４３が形成されている。中央縦リブ４３は先端側部分３３Ａの先端３３ａの近傍位置から当該先端側部分３３Ａの後端３３ｃの近傍位置まで延びている。中央縦リブ４３によって、ネック長さ方向Ｙに直線状に延び、裏面４２ｂの側に開口している矩形断面のロッド装着溝４４が形成されている。
【手続補正３】
【補正対象書類名】明細書
【補正対象項目名】００３０
【補正方法】変更
【補正の内容】
【００３０】
横リブ４７は、ネック長さ方向Ｙにおいて、先端側部分３３Ａの後端３３ｃから先端３３ａに向かって、間隔が徐々に狭くなるように形成されている。したがって、ネック長さ方向Ｙにおいて、各横リブ４７の間に配置されている斜めリブ４８の間隔も先端３３ａに向かって徐々に狭くなっている。これにより、各開口部４５は、ネック長さ方向Ｙにおいて大きさが相互に相違している。また、各横リブ４７と後端３３ｃの近傍位置には、それぞれ、左右対称な位置に一対のネジ穴４６がそれぞれ形成されている。これらのネジ穴４６（固定位置）のネック長さ方向Ｙにおけるピッチも相互に相違している。これにより、開放弦を引いたときに共鳴を防止している。
【手続補正４】
【補正対象書類名】明細書
【補正対象項目名】００３２
【補正方法】変更
【補正の内容】
【００３２】
一方、図３から分かるように、第１ネック部材３１の表面には、上記形状の第２ネック部材３３を装着するための装着溝３６が形成されている。装着溝３６は第１ネック部材３１と相補的な形状および深さの溝である。また、装着溝３６の底面からは、第２ネック部材３３の各開口部４５および開口部４９に対応した輪郭形状の突部３６ａ、３６ｃが形成されている。装着溝３６に装着した状態において、第２ネック部材３３は第１ネック部材３１と面一の状態になり、各突部３６ａ、３６ｃは対応する開口部４５、４９を貫通して、表面４２ａの側に露出した状態になる。装着溝３６に装着された第２ネック部材３３は、各ネジ穴４６、４６ａ、５０ａ、５０ｂに通した固定用のネジ（図示せず）を第１ネック部材３１およびボディ２にねじ込み固定することで、これらに固定される。指板３２は、これらを覆い隠す状態で、第１ネック部材３１の装着溝３６の両側の縁部分の表面３６ｂおよび各突部３６ａの表面に貼り付けられる。このように、指板３２と木質系の第１ネック部材３１とが直接に接した状態で貼り合わされているので、指板３２と第２ネック部材３１が確実に一体化され、これらを介して弦振動が効率良く伝達される。
【国際調査報告】
2013140466.tif 000007
2013140466.tif 000008
2013140466.tif 000009
2013140466.tif 000010